(57)【要約】【課題】金属シェルによるシールド機能を高める。【解決手段】互いに嵌合される雌雄のハウジング３０，６０は、それぞれアウタハウジング３２，６２内に、シールド電線の端末に接続された雌端子または雄端子が収容されるインナハウジング３１，６１がリブ３５，６９を介して宙吊り状態で設けられ、インナハウジング３１，６１の外周に、リブ３５，６９をそれぞれ逃がすスリット５６，８６を切った金属シェル５０，８０が嵌着されている。両ハウジング３０，６０が嵌合されると、両金属シェル５０，８０の突出端同士が嵌合しつつ、雌雄の端子金具の接続部分付近の回りを覆って電磁遮蔽する。ここで、雌側金属シェル５０と雄側金属シェル８０とで、それぞれのスリット５６，８６の形成位置が整合しないようにずらしてあり、両金属シェル５０，８０の嵌合部分では、互いにスリット５６，８６を塞いで全周を隙間無く覆う。【選択図】  図１２
2004158376.tif 000002
【特許請求の範囲】
【請求項１】
互いに嵌合される雌雄のコネクタハウジングを備え、
各コネクタハウジングは、アウタハウジング内に、シールド電線の端末に接続された雌端子または雄端子が収容されるインナハウジングが連結部を介して宙吊り状態で設けられるとともに、前記インナハウジングの外周に、前記連結部を逃がすスリットを有して前記シールド電線の編組線と接触可能な金属シェルが後方から嵌着された構造になり、
両コネクタハウジングが嵌合されると、対応する雌雄の端子金具が接続されるとともに、両金属シェルの突出端同士が嵌合しつつ、端子金具の接続部分付近の回りを覆って電磁遮蔽するようにしたシールドコネクタにおいて、
前記雌側のコネクタハウジングに装着された金属シェルと、雄側のコネクタハウジングに装着された金属シェルとで、それぞれのスリットの形成位置を整合しないようにずらしたことを特徴とするシールドコネクタ。
【請求項２】
前記金属シェルのスリットの入口に、相手の連結部を誘い込む誘い込み部が設けられていることを特徴とする請求項１記載のシールドコネクタ。
【請求項３】
前記金属シェルが二分割され、両分割シェルの結合部分が対向する二面にそれぞれ設定されていることを特徴とする請求項１または請求項２記載のシールドコネクタ。
【発明の詳細な説明】
【０００１】
【発明の属する技術分野】
本発明は、シールドコネクタに関する。
【０００２】
【従来の技術】
従来、シールドコネクタの一例として、特許文献１に記載されたものが知られている。
このものは、互いに嵌合される雌雄のコネクタハウジングを備え、各コネクタハウジングは、アウタハウジング内に、シールド電線の端末に接続された雌端子または雄端子が収容されるインナハウジングが、複数本のリブ状の連結部を介して宙吊り状態で設けられるとともに、そのインナハウジングの外周に、リブを逃がすスリットを有する金属シェルが後方から嵌着されて、シールド電線の編組線と接触されている。そして、両コネクタハウジングが嵌合されると、対応する雌雄の端子金具が接続されるとともに、両金属シェルの突出端同士が嵌合しつつ、端子金具の接続部分付近の回りを覆って電磁遮蔽するようになっている。
【０００３】
【特許文献１】
特開平１１−２１９７５８号公報
【０００４】
【発明が解決しようとする課題】
ところで、インナハウジングの外周に金属シェルを嵌着するに当たり、インナハウジングは上記したようにリブ状の連結部を介してアウタハウジングの内側に宙吊り状態で支持された構造となっているために、金属シェルには連結部を逃がすスリットを切る必要がある。そのため、雌雄のコネクタハウジングの嵌合に伴って雌側と雄側の金属シェルの突出端同士が嵌合した場合に、スリット同士が整合した位置では金属シェルが開口した状態となり、その分シールド機能が低下するという問題があった。
本発明は上記のような事情に基づいて完成されたものであって、その目的は、金属シェルによるシールド機能を高めるところにある。
【０００５】
【課題を解決するための手段】
上記の目的を達成するための手段として、請求項１の発明は、互いに嵌合される雌雄のコネクタハウジングを備え、各コネクタハウジングは、アウタハウジング内に、シールド電線の端末に接続された雌端子または雄端子が収容されるインナハウジングが連結部を介して宙吊り状態で設けられるとともに、前記インナハウジングの外周に、前記連結部を逃がすスリットを有して前記シールド電線の編組線と接触可能な金属シェルが後方から嵌着された構造になり、両コネクタハウジングが嵌合されると、対応する雌雄の端子金具が接続されるとともに、両金属シェルの突出端同士が嵌合しつつ、端子金具の接続部分付近の回りを覆って電磁遮蔽するようにしたシールドコネクタにおいて、前記雌側のコネクタハウジングに装着された金属シェルと、雄側のコネクタハウジングに装着された金属シェルとで、それぞれのスリットの形成位置を整合しないようにずらした構成としたところに特徴を有する。
【０００６】
請求項２の発明は、請求項１に記載のものにおいて、前記金属シェルのスリットの入口に、相手の連結部を誘い込む誘い込み部が設けられているところに特徴を有する。
請求項３の発明は、請求項１または請求項２に記載のものにおいて、前記金属シェルが二分割され、両分割シェルの結合部分が対向する二面にそれぞれ設定されているところに特徴を有する。
【０００７】
【発明の作用及び効果】
＜請求項１の発明＞
スリットの位置がずれて形成されているから、両金属シェルの突出端同士が嵌合された場合に、互いにスリットを塞ぎつつ全周にわたって隙間無く覆うことができ、もってシールド性能を高めることが可能となる。
＜請求項２の発明＞
金属シェルをインナハウジングに嵌着するに当たり、連結部が入口の誘い込み部によりスリット内にスムーズに導かれる。金属シェルの嵌着作業が簡単にできる。
＜請求項３の発明＞
金属シェルは、対向する二面で結合されて開き防止がなされるから、形状の維持機能に優れたものとなる。
【０００８】
【発明の実施の形態】
以下、本発明の一実施形態を図１ないし図１４に基づいて説明する。
この実施形態では、図１に示すように、互いに嵌合される雌雄一対のコネクタＦ，Ｍを備えている。なお以下では、それぞれのコネクタＦ，Ｍについて、嵌合面側を前方として説明する。
雌コネクタＦは、図２ないし図４にも示すように、雌側のコネクタハウジング３０（以下、雌ハウジングという）と、シールド電線１０の端末に固着されて雌ハウジング３０内に収容される３個の雌端子２０と、金属シェル５０（以下、雌側金属シェルという）とを有している。
【０００９】
シールド電線１０は公知の構造であって、芯線１１と、絶縁内皮１２と、編組線１３と、絶縁外皮１４とが、内側から同心に配されており、端末では順次に露出され、編組線１３の端末が後方に捲られて絶縁外皮１４の端末の上に被せられ、金属管１５でかしめ固着された状態に処理されている。
雌端子２０は、金属板をプレス加工して形成され、相手の雄端子２５のタブ２６と接触される接触片２１を内部に設けた角筒形の接続部２２を有し、後端に設けられたバレル２３を芯線１１と絶縁内皮１２とにかしめることで、シールド電線１０の端末に圧着されている。
【００１０】
雌ハウジング３０は合成樹脂材により一体形成され、大まかにはインナハウジング３１とアウタハウジング３２とから構成される。インナハウジング３１は横長断面に形成され、その内部には、前後方向を向いた図示３個のキャビティ３３が横方向に並んで形成されている。各キャビティ３３内には、上記したシールド電線１０の端末に固着された雌端子２０が後方から挿入され、底面に設けられたランス３３Ａに係止されることで、雌端子２０からシールド電線１０における絶縁内皮１２の端末の露出部分が抜け止め状態に収容されるようになっている。
【００１１】
アウタハウジング３２は、上記したインナハウジング３１の後端部からその後方の回りを覆うようにして、インナハウジング３１よりも一回り大きく形成されている。より詳細には、インナハウジング３１の外周には雌側金属シェル５０が嵌着されるようになっており、そのため図２に示すように、インナハウジング３１の後端部の外周面と、アウタハウジング３２の前端部の内周面との間に、横長の環形をなす雌側金属シェル５０の挿入空間３４が形成されているとともに、インナハウジング３１の後端部の外周面と、アウタハウジング３２の前端部の内周面との互いにラップした部分が、上下２箇所ずつにおいて軸線方向に沿って延びたリブ３５で連結され、したがってインナハウジング３１はアウタハウジング３２の内側において、リブ３５を介して宙吊りの状態で支持されている。
雌ハウジング３０側ではリブ３５の位置は、図２に示すように、左右両側のキャビティ３３における幅方向の中央部と対応する位置に設定されている。
【００１２】
なお、アウタハウジング３２の外周にはさらに、インナハウジング３１の先端に達するフード部３７が形成されている。また、アウタハウジング３２の上面には、後記する相手の雄側のコネクタハウジング６０（以下、雄ハウジングという）との間を嵌合状態にロックするロックアーム３８が設けられているとともに、フード部３７の下面には、ブラケット（図示せず）に対する取付部３９が形成されている。
【００１３】
雌側金属シェル５０は全体としては、上記したようにインナハウジング３１の外周に嵌装可能で、かつインナハウジング３１の奥行方向のほぼ中央部から、アウタハウジング３２の奥行方向の中央部から少し後方位置にわたる長さを持った扁平な角筒状に形成されている。
雌側金属シェル５０は、同一形状に二分割された２つの分割シェル５１により構成され、各分割シェル５１は、図５に示す展開形状から、図６ないし図８に示すように浅いチャンネル形に曲げ形成されている。
【００１４】
各分割シェル５１では、左右の側板の一方から前後一対の差込片５２が突設されているとともに、他方の側板から、前後一対の被差込部５３が叩き出して形成されている。そして、図７（Ａ）及び図８（Ａ）に示すように、両分割シェル５１が点対称をなすように対向され、図７（Ｂ）及び図８（Ｂ）に示すように、差込片５２を対応する被差込部５３に差し込んでかしめることによって、上記したように扁平な角筒状をなす雌側金属シェル５０が形成されている。
【００１５】
この一体に組み付けられた雌側金属シェル５０では、上下両面の後縁側から、各シールド電線１０における編組線１３の端末の外周に嵌着された金属管１５を挟むように接触すべく内側に折り返された３組の接触片５４が、左右方向に並んで形成されている。また、上下、左右の４面の前縁側には、後記する相手の雄側金属シェル８０と接触する接触板５５が切り起こし形成されている。
【００１６】
一方、この雌側金属シェル５０の上下両面には、図４に示すように、雌ハウジング３０においてアウタハウジング３２内にインナハウジング３１を宙吊り状態で支持すべく設けられたリブ３５を逃がすスリット５６が、上下２本ずつ形成されている。このスリット５６は、リブ３５をほぼ緊密に挿通する幅を持って、上下両面の前縁から奥行方向のほぼ中央位置まで切り込み形成されている。各スリット５６の入口には、拡幅された誘い込み部５７が形成され、その奥の段付き部分には丸み５７Ａが付けられている。
また、上下両面における各スリット５６の内側の位置には、係止爪５８が内方に向けて切り起こし形成されているとともに、インナハウジング３１の上下両面の対応した位置には、係止爪５８に係止する係止溝４０が形成されている。
【００１７】
次に、雄コネクタＭ側を説明する。雄コネクタＭは、図９ないし図１１にも示すように、雄ハウジング６０と、シールド電線１０の端末に固着されて雄ハウジング６０内に収容される３個の雄端子２５と、雄側金属シェル８０とを有している。
雄端子２５は、同じく金属板をプレス加工して形成され、先端にタブ２６を有するとともに、後端に設けられたバレル２７を芯線１１と絶縁内皮１２とにかしめることで、シールド電線１０の端末に圧着されている。
【００１８】
雄ハウジング６０も合成樹脂製であって、同様にインナハウジング６１とアウタハウジング６２とから構成されている。インナハウジング６１は横長断面に形成され、図示３個のキャビティ６３が横方向に並んで形成された本体部６４の前面に、上記した雌ハウジング３０側のインナハウジング３１の前端側が嵌合可能な嵌合凹部６５が設けられた構造である。各キャビティ６３内には、シールド電線１０の端末に固着された雄端子２５が後方から挿入され、底面に設けられたランス６６に係止されることで、タブ２６を嵌合凹部６５内に突出させた状態で抜け止めされて収容されるようになっている。
【００１９】
アウタハウジング６２は、インナハウジング６１の前方と後方の回りまでを覆うようにして、インナハウジング６１よりも一回り大きくかつ長く形成されており、上面の背が高くされた前端部６２Ａが、上記した雌ハウジング３０のフード部３７内に嵌合可能とされている。
インナハウジング６１の外周には、同様に雄側金属シェル８０が嵌着されるようになっており、そのため図９に示すように、インナハウジング６１の外周面と、アウタハウジング６２の内周面との間に、横長の環形をなす雄側金属シェル８０の挿入空間６８が形成されているとともに、インナハウジング６１における長さ方向の中央部の外周面と、アウタハウジング６２における背が高くされた前端部６２Ａの後方位置の内周面との間が、上下２箇所ずつで軸線方向に沿って延びたリブ６９で連結され、したがってインナハウジング６１はアウタハウジング６２の内側において、リブ６９を介して宙吊りの状態で支持されている。
【００２０】
雄ハウジング６０側におけるリブ６９の位置は、図９に示すように、左右両側のキャビティ６３における中央のキャビティ６３に寄った端部側に設定されている。
なお、アウタハウジング６２の前端側の上面には、雌ハウジング３０のロックアーム３８と嵌合するロック突部７０が設けられているとともに、下面には、ブラケット（図示せず）に対する取付部７２が形成されている。
【００２１】
雄側金属シェル８０は全体としては、上記のようにインナハウジング６１の外周に嵌装可能で、かつ雌側金属シェル５０に外嵌可能な扁平な角筒状をなし、インナハウジング６１の前方並びに後方に所定寸法突出する長さを有している。この雄側金属シェル８０のインナハウジング６１の前端から突出した部分が、上記した雌側金属シェル５０の前端部分に嵌合可能となっている。
なお雄側金属シェル８０も、雌側金属シェル５０と同様に、同一形状に二分割された２つの分割シェル８１を結合して構成されているが、結合構造等は同様であるから、詳細な説明は割愛する。
【００２２】
一体に組み付けられた雄側金属シェル８０では、上下両面の後縁側から、各シールド電線１０における編組線１３の外周の金属管１５を挟むように接触すべく内側に折り返された３組の接触片８４が、左右に並んで形成されている。
一方、この雄側金属シェル５０の上下両面には、図１１に示すように、雌ハウジング３０においてアウタハウジング６２内にインナハウジング６１を宙吊り状態で支持すべく設けられたリブ６９を逃がすスリット８６が、上下２本ずつ形成されている。このスリット８６は、リブ６９をほぼ緊密に挿通する幅を持って、上下両面の前縁から奥行方向のほぼ中央位置まで切り込み形成されている。
【００２３】
ここで、図１２に参照して示すように、雄側金属シェル８０の両スリット８６は、雌側金属シェル５０の両スリット５６と整合しないように、幅方向の内側にずれた位置に形成されている。
なお、雄側金属シェル８０の各スリット８６の入口には、同様に拡幅された誘い込み部８７が形成され、その奥の段付き部分には丸み８７Ａ８が付けられている。また、上下両面における各スリット８６の後方でやや内側の位置には、係止爪８９が内方に向けて切り起こし形成されているとともに、インナハウジング６１の上下両面の対応した位置には、係止爪８９に係止する係止孔７４が形成されている。
【００２４】
続いて、本実施形態の作用を説明する。
雌コネクタＦは、以下のようにして組み付けられる。まず雌側金属シェル５０が、図３及び図４の矢線に示すように、雌ハウジング３０におけるアウタハウジング３２内に後方から挿入され、引き続いて、インナハウジング３１との間の挿入空間３４に向けて挿入される。雌側金属シェル５０の前端が挿入空間３４に掛かると、連結用のリブ３５が対応するスリット５６内に相対的に進入しつつ押し込まれる。このとき雌側金属シェル５０の軸線が多少振れていても、リブ３５が誘い込み部５７から進入して丸み５７Ａで誘い込まれつつスリット５６内に進入し、雌側金属シェル５０は真直に押し込まれる。
【００２５】
リブ３５がスリット５６の後端に突き当たる位置まで押し込まれると、係止爪５８が係止溝４０の位置に達することで、図１に示すように、係止爪５８が復元変形して係止溝４０に係止され、雌側金属シェル５０が、インナハウジング３１の後端部からその後方に達する外周に抜け止め状態で装着される。このとき、雌側金属シェル５０における接触板５５を設けた部分を含む前端部が、アウタハウジング３２の前端から前方に突出する。
【００２６】
そののち、シールド電線１０の端末に固着された雌端子２０が、雌ハウジング３０のキャビティ３３内に後方から挿入され、ランス３３Ａで係止される。それに伴い、各シールド電線１０の端末の編組線１３の外周に嵌着された金属管１５が、上下の接触片５４の間に弾性的に挟持される。続いて、一括型の防水ゴム栓４２がアウタハウジング３２の後端部内に嵌着され、ゴム栓押さえ４３により抜け止めされる。またこの間に、アウタハウジング３２の前端側の外周に、相手の雄ハウジング６０との間のシールを取るべくシールリング４５が嵌着される。
【００２７】
一方の雄コネクタＭ側では、雄側金属シェル８０が、図１０及び図１１の矢線に示すように、雄ハウジング６０におけるアウタハウジング６２内に後方から挿入され、引き続いてインナハウジング６１との間の挿入空間６８に向けて挿入される。雄側金属シェル８０が挿入空間６８の途中位置に掛かると、連結用のリブ６９が対応するスリット８６内に相対的に進入しつつ押し込まれる。このとき雄側金属シェル８０の軸線が多少振れていても、リブ６９が誘い込み部８７から進入して丸み８７Ａで誘い込まれつつスリット８６内に進入し、それ以降、雄側金属シェル８０は真直に押し込まれる。
【００２８】
リブ３５がスリット８６の後端に突き当たる位置まで押し込まれると、係止爪８９が係止孔７４の位置に達することで、図１に示すように、係止爪８９が復元変形して係止孔７４に係止され、雄側金属シェル８０がインナハウジング６１の外周面において、その前後両側からそれぞれ所定量ずつ突出した状態で抜け止めされて装着される。
そののち、シールド電線１０の端末に固着された雄端子２５が、雄ハウジング６０のキャビティ６３内に後方から挿入され、ランス６６により係止される。それに伴い、各シールド電線１０の端末における編組線１３の外周に嵌着された金属管１５が、上下の接触片８４の間に弾性的に挟持される。続いて、一括型の防水ゴム栓７６がアウタハウジング６２の後端部内に嵌着され、ゴム栓押さえ７７により抜け止めされる。
【００２９】
雌雄のコネクタＦ，Ｍの組付けが完了したら、図１及び図１２に示すように、両コネクタＦ，Ｍを対向させて嵌合する。雌雄のハウジング３０，６０は、ロックアーム３８を撓み変形させつつ嵌合され、正規に嵌合されると、図１３に示すように、ロックアーム３８が復元してロック突部７０に係止することで嵌合状態にロックされる。
この状態では、雌ハウジング３０のインナハウジング３１が、雄ハウジング６０のアウタハウジング６２の嵌合凹部６５内に嵌合することで、対向した雌雄の端子金具２０，２５同士が嵌合接続される。それとともに、雄側金属シェル８０の前端部分が、雌側金属シェル５０の前端部分の外周に嵌合し、雌側金属シェル５０の各接触板５５が、雄側金属シェル８０の内周面に弾力的に接触される。これにより、雌雄の端子金具２０，２５の接続部分から、雌側と雄側の両シールド電線１０の端末における金属管１５の嵌着部分にわたり、電気的に一体接続された雌雄の金属シェル５０，８０で覆われた状態となる。
【００３０】
ここで、雌雄の金属シェル５０，８０では、リブ３５，６９の逃がし用のスリット５６，８６が、互いに整合しないように金属シェル５０，８０の幅方向にずれて形成されているから、雌雄の金属シェル５０，８０の前端部同士が嵌合した場合に、図１４に示すように互いにスリット５６，８６を塞ぎ、少なくとも互いに嵌合した領域では、全周にわたって隙間無く金属シェル５０，８０で覆われた状態となる。
【００３１】
このように本実施形態によれば、雌雄の金属シェル５０，８０において、リブ３５，６９を逃がすためのスリット５６，８６の位置がずれて形成されているから、両金属シェル５０，８０の前端部同士が嵌合された場合に、互いにスリット５６，８６を塞ぎつつ全周にわたって隙間無く覆うことができ、その分シールド性能を高めることが可能となる。
また、各金属シェル５０，８０のスリット５６，８６の入口には誘い込み部５７，８７が形成されているから、金属シェル５０，８０を、それぞれ雌雄のハウジング３０，６０のインナハウジング３１，６１の外周に嵌着するに当たり、リブ３５，６９が誘い込み部５７，８７によりスリット５６，８６内にスムーズに導かれ、もって金属シェル５０，８０の嵌着作業が簡単にできる。
【００３２】
金属シェル５０，８０は、浅いチャンネル形をなす同一形状に二分割された２つの分割シェル５１，８１により形成され、左右の側面といった対向する二面でかしめによって結合されているから、開き防止が有効になされて、形状の維持機能に優れたものとなる。
また、分割シェル５１，８１自身は、一枚板で形成するものと比べると小型にできるから、プレス用の金型として順送り形式が採用できる等、金型の数を少なく抑える等が可能となり、ひいてはコスト低減を図ることができる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）金属シェルは、上記実施形態に例示した二分割形式に限らず、一枚板から組み立てられたものであってもよく、そのようなものも本発明の技術的範囲に含まれる。
（２）また本発明は、非防水型のシールドコネクタや、機器直結型のシールドコネクタにも適用することが可能である。
【図面の簡単な説明】
【図１】本発明の一実施形態に係る雌雄のコネクタの嵌合前の縦断面図
【図２】雌ハウジングの正面図
【図３】雌側金属シェルの装着動作を示す縦断面図
【図４】その平断面図
【図５】雌側金属シェルを構成する分割シェルの展開図
【図６】その成形完了状態の斜視図
【図７】（Ａ）雌側金属シェルの結合前の縦断面図
（Ｂ）結合後の縦断面図
【図８】（Ａ）雌側金属シェルの結合前の横断面図
（Ｂ）結合後の横断面図
【図９】雄ハウジングの正面図
【図１０】雄側金属シェルの装着動作を示す縦断面図
【図１１】その平断面図
【図１２】雌雄のコネクタの嵌合前の横断面図
【図１３】雌雄のコネクタの嵌合完了後の縦断面図
【図１４】その平断面図
【符号の説明】
Ｆ…雌コネクタ
Ｍ…雄コネクタ
１０…シールド電線
１２…編組線
２０…雌端子
２５…雄端子
３０…雌ハウジング
３１…インナハウジング
３２…アウタハウジング
３３…キャビティ
３４…挿入空間
３５…リブ（連結部）
５０…雌側金属シェル
５１…分割シェル
５６…スリット
５７…誘い込み部
５７Ａ…丸み
６０…雄ハウジング
６１…インナハウジング
６２…アウタハウジング
６３…キャビティ
６８…挿入空間
６９…リブ（連結部）
８０…雄側金属シェル
８１…分割シェル
８６…スリット
８７…誘い込み部
８７Ａ…丸み
【図１】
2004158376.tif 000003
【図２】
2004158376.tif 000004
【図３】
2004158376.tif 000005
【図４】
2004158376.tif 000006
【図５】
2004158376.tif 000007
【図６】
2004158376.tif 000008
【図７】
2004158376.tif 000009
【図８】
2004158376.tif 000010
【図９】
2004158376.tif 000011
【図１０】
2004158376.tif 000012
【図１１】
2004158376.tif 000013
【図１２】
2004158376.tif 000014
【図１３】
2004158376.tif 000015
【図１４】
2004158376.tif 000016